(57)【要約】【課題】補強金具を用いた場合に、優れた電気的導通を確保すると共に、補強金具の緊締力を高め、極めて高い連結強度を得ることができるケーブルラック継金具及び継方法を提供する。【解決手段】連結するケーブルラックＰの親桁Ｐ１端部相互の外側面に当接する連結金具１０を設ける。該親桁Ｐ１端部相互の内側面に当接する補強金具２０を設ける。これら補強金具２０、親桁Ｐ１、連結金具１０を貫通する角根ボルト１を設ける。連結金具１０側に連結ナット２を配する。角根ボルト１の角根部分１Ａの圧着面により親桁Ｐ１に開穿したボルト挿通孔Ｐ１ａの周囲縁Ｐ１ｂを連結ナット２方向に押圧変形させる。【選択図】図１
2006020395.tif 000002
【特許請求の範囲】
【請求項１】
ケーブルラックの連結する親桁端部相互の外側面に当接する連結金具と、該親桁端部相互の内側面に当接する補強金具と、これら補強金具、親桁、連結金具を貫通する角根ボルトと、連結金具側に配される連結ナットとからなるケーブルラック継金具において、前記連結金具と補強金具とに開穿したボルト挿通孔の形状を、前記角根ボルトの角根部分が挿通する形状に形成し、角根ボルト緊締時に角根部分の圧着面により親桁に開穿したボルト挿通孔の周囲縁を前記連結ナット方向に押圧変形させることを特徴とするケーブルラック継金具。
【請求項２】
前記連結金具のボルト挿通孔が、前記角根ボルトの角根部分と同一若しくは大きくなるように設定し、前記親桁ボルト挿通孔の変形した周囲縁周囲縁が、補強金具のボルト挿通孔に押し込まれるように形成した請求項１記載のケーブルラック継金具。
【請求項３】
前記連結ナットは、圧着面に連結金具の表面処理膜を除去する破断突部を有する請求項１記載のケーブルラック継金具。
【請求項４】
ケーブルラックの連結する親桁相互の端部外側面に連結金具を当接すると共に、親桁相互の端部内側面に補強金具を当接し、連結金具と補強金具とに開穿したボルト挿通孔に補強金具側から角根ボルトを貫通し、連結金具側の連結ナットにて角根ボルトを緊締するケーブルラック継ぎ方法において、前記連結金具と補強金具とに開穿したボルト挿通孔の内部で、前記角根ボルトの角根部分の圧着面により、親桁に開穿したボルト挿通孔の周囲縁を押圧変形させることを特徴とするケーブルラック継方法。
【発明の詳細な説明】
【技術分野】
【０００１】
本発明は、各種ケーブルをまとめて配線支持する際に使用するケーブルラックにおいて、耐候性、防錆のために施された表面処理膜を除去してケーブルラック相互の電気的導通を確保すると共に、連結部の強度を高めることができるケーブルラック継金具及び継方法に関する。
【背景技術】
【０００２】
ケーブルラック相互を連続する際に、ケーブルラックの表面処理膜を除去してケーブルラック相互の電気的導通を確保する為のケーブルラックの接続部や、ケーブルラックの継ぎ方法が次の特許文献１及び特許文献２に記載されている。いずれも、ケーブルラックの表面処理膜を除去して電気的導通を図るものであるが、表面処理を除去する手段に相違がある。
【０００３】
特許文献１では、ボルト頭部の圧着面に設けた突起と、ナットの圧着面に設けた突起により、ケーブルラックや連結金具の表面処理膜に傷を付けて電気的導通を図るものである。
【０００４】
一方、特許文献２の継ぎ方法は、角根ボルトをケーブルラックのボルト挿通孔部分に食い込ませることでケーブルラックの表面処理を確実に除去するもので、ナットの圧着面に設けた破断突部と組み合せてケーブルラック相互の電気的導通を図るものである。
【特許文献１】実開昭５４−４８３９９号公報
【特許文献２】特公平４−４８０８号公報
【発明の開示】
【発明が解決しようとする課題】
【０００５】
特許文献１における表面処理の除去手段では、ケーブルラックや連結金具に付ける傷が浅い場合は、十分な電気的導通を図ることができない不都合があった。
【０００６】
一方、特許文献２の継ぎ方法では、角根ボルトをケーブルラックのボルト挿通孔部分に食い込ませるので、電気的導通を確保することができる利点がある。ところが、ケーブルラックの連結強度を高めるために、ケーブルラックに補強金具を当てた場合は、この補強金具が妨げになって、角根ボルトをケーブルラックのボルト挿通孔部分に食い込ませることができなくなる。
【０００７】
そこで、従来では、特許文献２に記載の継ぎ方法で補強金具を用いる場合に、図４に示す如く、補強金具３０のボルト挿通孔３１のいくつかに替えて、角根ボルトの逃げ孔３２を設ける必要があった。しかしながら、このような補強金具３０の逃げ孔３２は、電気的導通を図る上で必要でも、せっかく連結強度を高めるために装着した補強金具３０の連結強度を低下させる原因になっていた。
【０００８】
そこで本発明は、上述の課題を解消すべく創出されたもので、補強金具を用いた場合に、優れた電気的導通を確保すると共に、補強金具の緊締力を高め、極めて高い連結強度を得ることができるケーブルラック継金具及び継方法の提供を目的とするものである。
【課題を解決するための手段】
【０００９】
本発明の第１の手段は、連結するケーブルラックＰの親桁Ｐ１端部相互の外側面に当接する連結金具１０と、該親桁Ｐ１端部相互の内側面に当接する補強金具２０と、これら補強金具２０、親桁Ｐ１、連結金具１０を貫通する角根ボルト１と、連結金具１０側に配される連結ナット２とからなるケーブルラック継金具において、前記連結金具１０と補強金具２０とに開穿したボルト挿通孔１１，２１の形状を、前記角根ボルト１の角根部分１Ａが挿通自在な形状に形成し、角根ボルト１緊締時に角根部分１Ａの圧着面により親桁Ｐ１に開穿したボルト挿通孔Ｐ１ａの周囲縁Ｐ１ｂを前記連結ナット２方向に押圧変形させることにある。
【００１０】
第２の手段において、前記連結金具１０のボルト挿通孔１１が、前記角根ボルト１の角根部分１Ａと同一若しくは大きくなるように設定し、前記親桁Ｐ１ボルト挿通孔Ｐ１ａの変形した周囲縁周囲縁Ｐ１ｂが、補強金具２０のボルト挿通孔２１に押し込まれるように形成している。
【００１１】
第３の手段における前記連結ナット２は、圧着面に連結金具１０の表面処理膜を除去する破断突部２Ａを有している。
【００１２】
第４の手段における継方法は、ケーブルラックＰの連結する親桁Ｐ１相互の端部外側面に連結金具１０を当接すると共に、親桁Ｐ１相互の端部内側面に補強金具２０を当接し、連結金具１０と補強金具２０とに開穿したボルト挿通孔１１，２１に補強金具２０側から角根ボルト１を貫通し、連結金具１０側の連結ナット２にて角根ボルト１を緊締するケーブルラック継ぎ方法において、前記連結金具１０と補強金具２０とに開穿したボルト挿通孔１１，２１の内部で、前記角根ボルト１の角根部分１Ａの圧着面により、親桁Ｐ１に開穿したボルト挿通孔Ｐ１ａの周囲縁を押圧変形させることを課題解消のための手段とする。
【発明の効果】
【００１３】
本発明によると、連結金具１０と補強金具２０とに開穿したボルト挿通孔１１，２１の形状を、前記角根ボルト１の角根部分１Ａが挿通自在な形状に形成し、該角根部分１Ａの圧着面により親桁Ｐ１に開穿したボルト挿通孔Ｐ１ａの周囲縁Ｐ１ｂを前記連結ナット２方向に押圧変形させることで、連結金具１の緊締力を補強金具２０に与えることができ、ケーブルラックＰの連結強度を高めることができる。この結果、従来の補強金具３０の如く、補強金具３０のボルト挿通孔３１のいくつかに、角根ボルトの逃げ孔３２を設ける必要がなくなり、補強金具３０の連結強度を低下させる不都合を解消した。
【００１４】
また、連結金具１０のボルト挿通孔１１を、角根ボルト１の角根部分１Ａと同一若しくは大きくなるように形成し、前記親桁Ｐ１におけるボルト挿通孔ボルト挿通孔Ｐ１ａの変形した周囲縁周囲縁Ｐ１ｂが押し込まれるように設定することで、変形した親桁Ｐ１の周囲縁周囲縁Ｐ１ｂと連結金具１０とに電気的導通効果が生じ、これまで必要であった破断突部２Ａ付きの連結ナット２を用いなくても、連結金具１０を介してケーブルラックＰ相互に通電させることに成功した。しかも、連結金具１０と親桁Ｐ１と補強金具２０とが連結金具１によって一体化されるので、極めて強固な連結力も得られるものである。
【００１５】
更に、連結ナット２に破断突部２Ａ付きの連結ナット２を使用することで、電気的導通効果をより高めることも可能である。
【００１６】
このように本発明によると、補強金具を用いた場合でも、優れた電気的導通を確保すると共に、補強金具の緊締力を高め、極めて高い連結強度を得ることができるなどといった今までにはない優れた効果を奏するものである。
【発明を実施するための最良の形態】
【００１７】
本発明を実施するための最良の形態は、連結金具１０と補強金具２０とに開穿したボルト挿通孔１１，２１の直径を、角根ボルト１の角根部分１Ａが挿通自在な直径に形成する。連結金具１０のボルト挿通孔１１を角根ボルト１の角根部分１Ａより大きく形成し、前記親桁Ｐ１ボルト挿通孔Ｐ１ａの変形した周囲縁周囲縁Ｐ１ｂが、連結金具１０のボルト挿通孔１１に押し込まれるように形成する。該角根部分１Ａの圧着面により親桁Ｐ１に開穿したボルト挿通孔Ｐ１ａの周囲縁Ｐ１ｂを前記連結ナット２方向に押圧変形させ、変形した周囲縁Ｐ１ｂを連結金具１０のボルト挿通孔１１に押し込むことで、当初の目的を達成するものである。
【実施例】
【００１８】
本発明継金具は、角根ボルト１、連結ナット２、連結金具１０、補強金具２０を用いるものである。
【００１９】
角根ボルト１は、ボルトの頭部と軸部との間に角根部分１Ａを設けたもので、この角根部分１Ａを親桁Ｐ１のボルト挿通孔Ｐ１ａ周囲縁Ｐ１ｂに押圧し、該周囲縁Ｐ１ｂを変形させるものである。また、角根ボルト１は、後述する補強金具２０、親桁Ｐ１、連結金具１０を貫通して連結する。
【００２０】
一方、連結ナット２は、角根ボルト１にネジ止めするナットである。この連結ナット２は、通常のナットを使用してもよく、また、ナットの圧着面に破断突部２Ａを設けたフランジ付きナットの使用も可能である。すなわち、ケーブルラックＰに連結金具１０を介して電気的導通を図る場合、従来では連結金具１０の表面処理として被覆している塗料などを除去する為に、必ず破断突部２Ａ付きの連結ナット２を使用する必要があったが、本発明では、後述する角根ボルト１の角根部分１Ａと連結金具１０のボルト挿通孔１１等の関係から、特に破断突部２Ａを設けていない通常の連結ナット２を使用することが可能になっている。勿論、破断突部２Ａ付きの連結ナット２を使用し、角根ボルト１の角根部分１Ａによる導通効果と併せてより電気的導通効果を更に高めることも可能である。破断突部２Ａは、例えば多数の放物線状に形成することで、表面処理を効果的に除去することができる。
【００２１】
連結金具１０は、連結するケーブルラックＰの親桁Ｐ１端部相互の外側面に当接する金具である。図示の連結金具１０は、断面略コ字状を成し、親桁Ｐ１の外側面に嵌合するものである。この連結金具１０には、前記角根ボルト１を挿通するボルト挿通孔１１を開穿している。そして、このボルト挿通孔１１の内部に、後述するように親桁Ｐ１のボルト挿通孔Ｐ１ａの押圧変形された周囲縁Ｐ１ｂを押し込むようにする。そのため、連結金具１０のボルト挿通孔１１は、変形した周囲縁Ｐ１ｂが嵌入できるように、角根ボルト１の角根部分１Ａト同一若しくは大きく形成してパンチとダイの関係にしている。この結果、連結金具１０のボルト挿通孔１１と親桁Ｐ１の変形した周囲縁Ｐ１ｂとが電気的に導通し、連結金具１０とケーブルラックＰとを直接導通させることが可能になるものである。図示のボルト挿通孔１１は、連結金具１０の位置調整を容易にする為、長孔状に形成されている。
【００２２】
補強金具２０は、該親桁Ｐ１端部相互の内側面に当接する金具である。図示の補強金具２０は板状を成し、前記角根ボルト１を挿通するボルト挿通孔２１を開穿している。このとき、ボルト挿通孔２１の形状を、前記角根ボルト１の角根部分１Ａが嵌入する矩形状に形成してあり、角根ボルト１緊締時に角根部分１Ａが回転しないようにしている。このようなボルト挿通孔２１によると、角根部分１Ａが回転せずに連結ナット２方向へ移動するから、親桁Ｐ１のボルト挿通孔Ｐ１ａの周囲縁を効果的に押圧変形させることができる。
【００２３】
本発明継方法は、ケーブルラックＰの連結する親桁Ｐ１相互の端部外側面に連結金具１０を当接すると共に、親桁Ｐ１相互の端部内側面に補強金具２０を当接し、連結金具１０と補強金具２０とに開穿したボルト挿通孔１１，２１に補強金具２０側から角根ボルト１を貫通し、連結金具１０側の連結ナット２にて角根ボルト１を緊締するケーブルラック継ぎ方法に関するものである。このとき、連結金具１０と補強金具２０とに開穿したボルト挿通孔１１，２１の内部で、前記角根ボルト１の角根部分１Ａの圧着面により、親桁Ｐ１に開穿したボルト挿通孔Ｐ１ａの周囲縁を押圧変形させる。そして、親桁Ｐ１の一部を連結金具１０の内部に圧入させることで、親桁Ｐ１に連結金具１０とを一体化せしめ、補強金具２０にて更に連結強度を高めるケーブルラックの継方法である。
【００２４】
尚、本発継金は、図示例に限られるものではなく、連結金具１０や補強金具２０の形状、サイズ、材質等の設計変更は勿論、角根ボルト１や連結ナット２の実施例においても従来例から自由に選択できるものであり、本発明の技術的思想を逸脱しない範囲で自由に変更することができるものである。
【図面の簡単な説明】
【００２５】
【図１】本発明継金具の一実施例を示す分解斜視図である。
【図２】本発明継金具のボルト挿通孔を示す正面図である。
【図３】本発明継金具の装着状態を示す側面図である。
【図４】従来の継金具の一実施例を示す分解斜視図である。
【図５】従来の継金具の装着状態を示す斜視図である。
【符号の説明】
【００２６】
Ｐ  ケーブルラック  Ｐ１  親桁
Ｐ１ａ  ボルト挿通孔
Ｐ１ｂ  周囲縁
１  角根ボルト  １Ａ  角根部分
２  連結ナット  ２Ａ  破断突部
１０  連結金具
１１  ボルト挿通孔
２０  補強金具
２１  ボルト挿通孔
３０  従来の補強金具
３１  ボルト挿通孔
３２  逃げ孔
【図１】
2006020395.tif 000003
【図２】
2006020395.tif 000004
【図３】
2006020395.tif 000005
【図４】
2006020395.tif 000006
【図５】
2006020395.tif 000007